(57)【特許請求の範囲】
【請求項１】
電圧と電流を入力して電力量を計測し、この電力量に比例したパルス列を出力する電子式電力量計において、検定封印前に設定操作される第一の設定操作部と、検定封印後に設定操作できる第二の設定操作部と、上記第二の設定操作部に対向する位置に貫通孔が設けられ、上記第一，第二の設定操作部を覆う外部カバーとを備えたことを特徴とする電子式電力量計。
【請求項２】
外部カバーに、第一の設定操作部と第二の設定操作部とを隔離する隔壁を設けたことを特徴とする請求項１記載の電子式電力量計。
【請求項３】
隔壁は、外部カバーの貫通孔を囲む位置に設けられたことを特徴とする請求項２記載の電子式電力量計。
【請求項４】
第一，第二の設定操作部を覆う内部カバーを設け、この内部カバーの第二の設定操作部に対向する位置に貫通孔を設け、この貫通孔を囲む位置に外部カバー方向へ突出する隔壁を設けたことを特徴とする請求項１記載の電子式電力量計。
【発明の詳細な説明】
【０００１】
【発明の属する技術分野】
この発明は、計量データを表示する表示器および計量条件を設定する設定スイッチ等を備え、電気料金取引用あるいは証明用に使用される電子式電力量計に関する。
【０００２】
【従来の技術】
図７は、例えば特開平５−１８８０９８号公報に示された従来の電子式電力量計を示す分解斜視図である。図８は、図７の電子式電力量計の外部カバー部を開いた状態を示す斜視図である。図において、１は筐体、２は電力量データ等を表示する液晶等からなる表示器である。３は設定スイッチ部であり、パルス列の重みつけを設定するパルス設定スイッチ３ａと、変成比設定用スイッチ３ｂと、メーカ用設定スイッチ３ｃで構成されている。４は表示器２および設定スイッチ部３が装着された第一の印刷配線板、５および６は電子回路部品等が装着された第二の印刷配線板および第三の印刷配線板、７は電圧および電流を入力するとともに、パルス列を外部へ出力する端子部である。表示器２と、設定スイッチ部３と、印刷配線板４，５，６と、端子部７を組合わせることにより計量素子部８が構成され、筐体１の内部に装着されている。
【０００３】
１０は透明絶縁カバーである内部カバーであり、設定スイッチ部３と対向する位置に開口部１０ａが形成され、表示器２および設定スイッチ部３を装着した第一の印刷配線板４を覆い、電気的に絶縁すると共に機械的に保護する。１１は弾性を有する板状の材料で形成された補助名板であり、内部カバー１０の前面１０ｂに装着される。１２は外部カバーであり、上端部の両側に突設した一対の軸１２ａを有し、この軸１２ａが筐体１の一対の軸孔１ａに開閉自在に嵌合している。１３は形名および定格事項等を表示する主名板であり、弾性を有する板状の材料で形成され、外部カバー１２に設けられた挿入溝（図示せず）に装着されている。１４は封印ねじであり、筐体１に設けられた雌ねじを有する固定金具１ｂにねじ込み、筐体１に外部カバー１２を装着する。なお、検定封印作業は封印ねじ１４の孔部（図示せず）と筐体１に設けられた封印孔（図示せず）に封印リング（図示せず）を通して行われる。
【０００４】
【発明が解決しようとする課題】
上記のような従来の電子式電力量計では、外部カバー１２に覆われる構造であるため、検定封印後（封印ねじ１４を筐体１に締付け後に、封印ねじ１４の孔部と筐体１の封印孔に図示しない封印リングを通して封印する。）に、外部から設定スイッチ３を操作することが不可能であるという問題点があった。例えば、ユーザーがパルス列の重みつけを設定するパルス設定スイッチ３ａを操作することは、検定対象外であるにも拘わらず、検定封印後にパルス設定スイッチ３ａを操作できなかった。
【０００５】
この発明は、上述のような問題点を解決するためになされたもので、検定封印後に外部から設定操作できる設定スイッチの操作が可能な電子式電力量計を得ることを目的とする。
【０００６】
【課題を解決するための手段】
この発明に係る電子式電力量計は、電圧と電流を入力して電力量を計測し、この電力量に比例したパルス列を出力する電子式電力量計において、検定封印前に設定操作される第一の設定操作部と、検定封印後に設定操作できる第二の設定操作部と、第二の設定操作部に対向する位置に貫通孔が設けられ、第一，第二の設定操作部を覆う外部カバーとを備えたものである。
【０００７】
また、外部カバーに、第一の設定操作部と第二の設定操作部とを隔離する隔壁を設けたものである。
【０００８】
また、隔壁は、外部カバーの貫通孔を囲む位置に設けられたものである。
【０００９】
また、第一，第二の設定操作部を覆う内部カバーを設け、この内部カバーの第二の設定操作部に対向する位置に貫通孔を設け、この貫通孔を囲む位置に外部カバー方向へ突出する隔壁を設けたものである。
【００１０】
【発明の実施の形態】
実施の形態１．
図１は、この発明の実施の形態１を示す電子式電力量計の分解斜視図である。図２は、図１の電子式電力量計の外部カバー部を示す斜視図である。図３は、図２の線ＩＩＩ−ＩＩＩに沿う断面図である。図４は、電子式電力量計の外部カバー部を装着前の状態を示す斜視図である。図５は、電子式電力量計の外部カバー部を開いた状態を示す斜視図である。
【００１１】
図において、１〜８は上記従来装置と同様なものであり、その説明を省略する。図１において、１８は検定封印前に設定操作する第一の設定操作部であり、例えば複数の変成比設定スイッチ１８ａと、メーカ用設定スイッチ１８ｂとで構成されている。１９は検定封印後に設定操作可能な第二の設定操作部であり、例えばユーザーがパルス列等の重みつけを設定するパルス設定スイッチである。２０は内部カバーであり、透明のポリカーボネート樹脂等で形成され、第二の設定操作部１９と対向する位置に開口部２０ａが形成され、第一の設定操作部１８と対向する位置に複数の開口部２０ｂ，２０ｃ，２０ｄが形成され、表示器２および設定操作部１８，１９を装着した第一の印刷配線板４を覆い、電気的に絶縁すると共に機械的に保護する。２１は弾性を有する板状の材料で形成された補助名板であり、設定スイッチ１８ａ，１８ｂ，１９と対向する位置に複数の貫通孔２１ａを有し、内部カバー２０の前面部２０ｅに貼付けられる。なお、補助名板２１は内部カバー２０の前面部２０ｅへ記載事項を直接印刷する場合もある。
【００１２】
２２は外部カバーであり、例えば透明のポリカーボネート樹脂で形成され、図２および図３に示すように、検定封印後に第二の設定操作部１９を外部から操作可能にする貫通孔２２ａと、この貫通孔２２ａを囲むように外部カバー２２の内側方向へ突出する隔壁２２ｂと、後述する主名板２３を挿着する溝２２ｃと、封印ねじ２４を通すねじ孔２２ｄと、上端部の両側に筐体１の一対の軸孔１ａと開閉自在に嵌合する一対の軸２２ｅが形成されている。２３は形名および定格事項等を表示する主名板であり、弾性を有する板状の材料で形成され、外部カバー２２に設けられた一対の挿入溝２２ｃに嵌挿されている。外部カバー２２と主名板２３とで外部カバー部２５が構成される。
【００１３】
また、図２に示すように、外部カバー２２の貫通孔２２ａは、第二の設定操作部１９の操作が可能な位置に設けられ、隔壁２２ｂは第二の設定操作部１９を囲むよう配設され、かつ、外部カバー２２を閉じた状態で、隔壁２２ｂの先端面が内部カバー２０あるいは補助名板２１に接触するか微少な間隙を有するように形成されている。また、外部カバー２２の内側に取付けられる主名板２３は、電子式電力量計の前面から見て、貫通孔２２ａ、隔壁２２ｂ、および封印部分の領域を避けた形状に形成されている。
【００１４】
この発明の電子式電力量計の組立方法について説明する。図１において、先ず、筐体１の内部にユニット化された計量素子部８を組込み、図示しない取付ねじにより計量素子部８を筐体１の底部１ｃに取付ける。次に、表示器２、設定操作部１８，１９および第一の印刷配線板４と外部とを電気的に絶縁するとともに、機械的に保護する内部カバー２０を被せる。次に、補助名板２１を内部カバー２０の前面部２０ｅに貼り付け、図４に示す組立状態となる。
【００１５】
次に、主名板２３を取付けた外部カバー２２の一対の軸２２ｅを筐体１の一対の軸孔１ａに開閉自在に嵌合することにより、図５に示す組立状態となる。
電子式電力量計は、この状態で所定の性能を有するように調整され、各種の特性を検定試験後、検定試験に合格すれば外部カバー部２５を封印ねじ２４により筐体１に固定し、封印リング（図示せず）を封印ねじ２４の孔部２４ａと筐体１の封印孔（図示せず）に通して検定封印される。
【００１６】
なお、上述のように組立てられ、検定試験後に封印された電子式電力量計は、その端子部７から出力されるパルスを遠隔地へ伝送し、図示しないカウンタにて使用電力量を計測する場合がある。この場合に、ユーザーが使用電力量に応じたパルス列の重みつけ（パルス単位）を変更可能なように、第二の設定操作部１９であるパルス設定スイッチの設定値を外部から変更可能に構成されている。また、この第二の設定操作部１９の操作は、表示器２に表示される電力取引用の使用電力量に影響を及ぼさないため、検定対象外と規定されている。
【００１７】
上述のように構成された電子式電力量計の構成によれば、外部カバー２２の第二の設定操作部１９に対向する位置に、外部から第二の設定操作部１９を操作可能な貫通孔２２ａを設けたので、封印検定後に外部から第二の設定操作部１９であるパルス設定スイッチの操作が可能となる。
【００１８】
また、この貫通孔２２ａおよび第二の設定操作部１９を囲むように隔壁２２ｂを配設したので、検定時および封印後において、この隔壁２２ｂにより検定封印の内側か外側かの境界（責任分界点は、封印をすることにより、外部から操作可能な貫通孔２２ａを含む隔壁２２ｂで囲まれた内側が検定封印外、外部から操作不可能な隔壁２２ｂの外側が検定封印内と規定されている。）を明確にすることができる。また、外部カバー２２の強度が強くなる。
【００１９】
また、外部カバー２２を閉じた状態で、隔壁２２ｂの先端面２２ｆが内部カバー２０または補助名板２１に接触するか、若しくは微少な間隙となるように形成されているので、外部から本体内部へ埃や虫等が侵入するのを減少させることができる。
【００２０】
実施の形態２．
図６は、この発明の実施の形態２を示す電子式電力量計の分解斜視図である。図において、１〜８，１８，１９，２３，２４は実施の形態１と同様なものであり、その説明を省略する。３０は内部カバーであり、透明のポリカーボネート樹脂等で形成され、第二の設定操作部１９と対向する位置に貫通孔３０ａが形成され、この貫通孔３０ａを囲むように後述する外部カバー３２の方向へ突出し、外部カバー３２の内側と当接するか微少な間隙を有する隔壁３０ｂが形成され、第一の設定操作部１８と対向する位置に複数の開口部３０ｃ，３０ｄ，３０ｅが形成され、表示器２および設定操作部１８，１９を装着した第一の印刷配線板４を覆い、電気的に絶縁すると共に機械的に保護する。
【００２１】
３１は弾性を有する板状の材料で形成された補助名板であり、内部カバー３０の隔壁３０ｂに対向する位置が切り欠かれ、設定スイッチ１８ａ，１８ｂと対向する位置に複数の貫通孔３１ａを有し、内部カバー３０の前面部３０ｆに貼付けられる。なお、補助名板３１は内部カバー３０の前面部３０ｆへ記載事項を直接印刷する場合もある。３２は外部カバーであり、図２，図３に示すカバー２２の隔壁２２ｂを取り除いたものと同じ形状である。外部カバー３２と主名板２３とで外部カバー部３５が構成される。
【００２２】
この実施の形態２の構成によれば、内部カバー３０の第二の設定操作部１９と対向する位置に貫通孔３０ａが形成され、この貫通孔３０ａを囲むように後述する外部カバー３２方向へ突出する隔壁３０ｂが形成されているので、実施の形態１と同様な効果を得ることができる。さらに、検定試験時に外部カバー２２を開いた状態で隔壁３０ｂを見ることができるので、検定員が検定対象内外を容易に認識できる。
【００２３】
なお、上述の実施の形態１および２の構成では、外部カバー２２，３２を表示器２、第一の設定操作部１８および第二の設定操作部１９の全体を覆う構成としたが、図示しないが、例えば表示器２および第一の設定操作部１８を覆う第一の外部カバーと、第二の設定操作部１９を覆う第二の外部カバーとを設け、検定試験後に第一の外部カバーのみを封印するようにしてもよい。また、第一の外部カバーのみを設けて封印し、第二の設定操作部１９は外部へ露出させるようにしてもよい。この場合は、図６に示すような隔壁３０ｂを有する内部カバー３０を設け、外部から埃や虫等が侵入し難い構成とすることが望ましい。
【００２４】
【発明の効果】
この発明は、以上説明したように構成されているので、以下に示すような効果を奏する。
【００２５】
この発明の電子式電力量計によれば、検定封印前に設定操作される第一の設定操作部と、検定封印後に設定操作できる第二の設定操作部と、第二の設定操作部に対向する位置に貫通孔が設けられ、第一，第二の設定操作部を覆う外部カバーとを備えるように構成したので、封印検定後に、外部から第二の設定操作部の操作が可能となる。
【００２６】
また、外部カバーに第一の設定操作部と第二の設定操作部を隔離する隔壁を設けたので、検定封印の内側か外側かの境界（責任分界点）をより明確にできると共に、外部から本体内部へ埃や虫等が侵入するのを減少させることができる。
【００２７】
また、外部カバーの貫通孔を囲む位置に隔壁を設けたので、外部から貫通孔を通って埃や虫等が侵入するのを減少させることができる。
【００２８】
さらにまた、第一，第二の設定操作部を覆う内部カバーを設け、この内部カバーの第二の設定操作部に対向する位置に貫通孔を設け、この貫通孔を囲む位置に外部カバー方向へ突出する隔壁を設けたので、検定封印の内側か外側かの境界（責任分界点）をより明確にできると共に、貫通孔から本体内部へ埃や虫等が侵入するのを減少させることができる。
【図面の簡単な説明】
【図１】この発明の実施形態１を示す電子式電力量計の分解斜視図である。
【図２】図２は、この発明の実施形態１の電子式電力量計の外部カバー部を示す斜視図である。
【図３】図３の線ＩＩＩ−ＩＩＩに沿う断面図である。
【図４】この発明の実施形態１の電子式電力量計の外部カバー部を装着前の状態を示す斜視図である。
【図５】この発明の実施形態１の電子式電力量計の外部カバーを開いた状態を示す斜視図である。
【図６】この発明の実施形態２を示す電子式電力量計の分解斜視図である。
【図７】従来の電子式電力量計を示す分解斜視図である。
【図８】従来の電子式電力量計の外部カバーを開いた状態を示す斜視図である。
【符号の説明】
１８  第一の設定操作部、１９  第二の設定操作部、２２  外部カバー、
２２ａ  貫通孔、２２ｂ  隔壁、３０  内部カバー、３０ａ  貫通孔、
３０ｂ  隔壁。
【図１】
0003633411.tif 000002
【図２】
0003633411.tif 000003
【図３】
0003633411.tif 000004
【図４】
0003633411.tif 000005
【図５】
0003633411.tif 000006
【図６】
0003633411.tif 000007
【図７】
0003633411.tif 000008
【図８】
0003633411.tif 000009